(57)【特許請求の範囲】
【請求項１】
宛先の情報および当該宛先に宛てられたデータを含むサブキャリアごとのデータ列が複数のサブキャリアについてＯＦＤＭにより多重化されたフレームを無線により送信する送信部を備え、
前記サブキャリアごとのデータ列は、前記フレーム全体のチャネル幅の情報を含む、
基地局装置。
【請求項２】
宛先の情報および当該宛先に宛てられたデータを含むサブキャリアごとのデータ列が複数のサブキャリアについてＯＦＤＭにより多重化されたフレームを無線により送信する送信部を備え、
前記サブキャリアごとのデータ列は、データ通信に必要な時間を予約するための時間の情報を含む、
基地局装置。
【請求項３】
宛先の情報および当該宛先に宛てられたデータを含むサブキャリアごとのデータ列が複数のサブキャリアについてＯＦＤＭにより多重化されたフレームを無線により送信する送信部を備え、
前記送信部は、セルラー通信、無線ＬＡＮの方式、もしくはＷｉＭＡＸの内の二種類の通信を同時に行うことが可能である、
基地局装置。
【請求項４】
宛先の情報および当該宛先に宛てられたデータを含むサブキャリアごとのデータ列が複数のサブキャリアについてＯＦＤＭにより多重化されたフレームを受信する受信部と、
前記受信部により受信された前記フレームを構成する前記サブキャリアごとに含まれる前記宛先の情報に基づいて、自装置の情報に対応する前記宛先の情報を含む前記サブキャリアを選択する制御部と、
を備え、
前記受信部は、セルラー通信、無線ＬＡＮの方式、もしくはＷｉＭＡＸの内の二種類の通信を同時に行うことが可能である、
端末装置。
【請求項５】
前記宛先の情報として、前記宛先の装置に設定される識別情報のうちの一部の情報が用いられ、
前記制御部は、自装置に設定される識別情報のうちの一部に対応する前記宛先の情報を含む前記サブキャリアの前記データについて、当該データを復元した結果に基づいて当該データを選択するか否かを判定する、
請求項４に記載の端末装置。
【請求項６】
基地局装置は、宛先の情報および当該宛先に宛てられたデータを含むサブキャリアごとのデータ列が複数のサブキャリアについてＯＦＤＭにより多重化されたフレームを無線により送信し、
端末装置は、受信された前記フレームを構成する前記サブキャリアごとに含まれる前記宛先の情報に基づいて、自装置の情報に対応する前記宛先の情報を含む前記サブキャリアを選択し、
前記サブキャリアごとのデータ列は、前記フレーム全体のチャネル幅の情報を含む、
通信システム。
【請求項７】
基地局装置は、宛先の情報および当該宛先に宛てられたデータを含むサブキャリアごとのデータ列が複数のサブキャリアについてＯＦＤＭにより多重化されたフレームを無線により送信し、
端末装置は、受信された前記フレームを構成する前記サブキャリアごとに含まれる前記宛先の情報に基づいて、自装置の情報に対応する前記宛先の情報を含む前記サブキャリアを選択し、
前記サブキャリアごとのデータ列は、データ通信に必要な時間を予約するための時間の情報を含む、
通信システム。
【請求項８】
基地局装置は、宛先の情報および当該宛先に宛てられたデータを含むサブキャリアごとのデータ列が複数のサブキャリアについてＯＦＤＭにより多重化されたフレームを無線により送信し、
端末装置は、受信された前記フレームを構成する前記サブキャリアごとに含まれる前記宛先の情報に基づいて、自装置の情報に対応する前記宛先の情報を含む前記サブキャリアを選択し、
前記基地局装置は、セルラー通信、無線ＬＡＮの方式、もしくはＷｉＭＡＸの内の二種類の通信を同時に行うことが可能である、
通信システム。
【請求項９】
基地局装置は、宛先の情報および当該宛先に宛てられたデータを含むサブキャリアごとのデータ列が複数のサブキャリアについてＯＦＤＭにより多重化されたフレームを無線により送信し、
前記サブキャリアごとのデータ列は、前記フレーム全体のチャネル幅の情報を含む、
通信方法。
【請求項１０】
基地局装置は、宛先の情報および当該宛先に宛てられたデータを含むサブキャリアごとのデータ列が複数のサブキャリアについてＯＦＤＭにより多重化されたフレームを無線により送信し、
前記サブキャリアごとのデータ列は、データ通信に必要な時間を予約するための時間の情報を含む、
通信方法。
【請求項１１】
基地局装置は、宛先の情報および当該宛先に宛てられたデータを含むサブキャリアごとのデータ列が複数のサブキャリアについてＯＦＤＭにより多重化されたフレームを無線により送信し、
前記基地局装置は、セルラー通信、無線ＬＡＮの方式、もしくはＷｉＭＡＸの内の二種類の通信を同時に行うことが可能である、
通信方法。
【発明の詳細な説明】
【技術分野】
【０００１】
本発明は、基地局装置、端末装置、通信システムおよび通信方法に関する。
【背景技術】
【０００２】
携帯電話端末に代表されるユーザ端末がデータ通信を移動しながら行う技術（移動無線データ通信の技術）の進歩は目覚ましく、様々な無線通信方式の技術革新がなされ実用化されている。近年では、直交周波数分割多元アクセス（ＯＦＤＭＡ：Orthogonal Frequency Division Multiple Access）の技術を用いたＬＴＥ（Long Term Evolution）方式あるいはＷｉＭＡＸ（Worldwide Interoperability for Microwave Access）方式といった第４世代のデータ通信を高速化した通信規格が主流となっている。ＯＦＤＭＡでは、直交周波数分割多重方式（ＯＦＤＭ：Orthogonal Frequency Division Multiplexing）によって複数の端末装置のアクセスを可能としている。
【０００３】
一方、パーソナルコンピュータ（ＰＣ：Personal Computer）などを中心に搭載されてきた無線ＬＡＮ（Local Area Network）の通信方式は、ＣＳＭＡ／ＣＡ（Carrier Sense Multiple Access with Collision Avoidance）方式を用いた基地局装置との通信手順を基本として発展してきている。そして、無線ＬＡＮの通信方式の規格を策定しているＩＥＥＥ８０２．１１作業委員会は、より高効率にデータ通信を行うことを実現するために、現状のＣＳＭＡ／ＣＡをベースとした無線ＬＡＮの通信方式に対してＯＦＤＭＡの技術を適用することを検討し始めている。
【０００４】
特許文献１には、ＷｉＭＡＸにおける無線通信の方法が記載されている（特許文献１参照。）。特許文献１の図４Ａには、フレーム構成が示されている。基地局装置から端末装置への方向にデータを伝送するためのダウンリンクサブフレームは、プリアンブルと、フレーム制御ヘッダ（ＦＣＨ）と、ＤＬ−ＭＡＰと、ＵＬ−ＭＡＰと、複数のデータバーストを含む。プリアンブルは、フレームの同期に使用される。ＦＣＨは、ＤＬ−ＭＡＰの復号化方法を示す。ＤＬ−ＭＡＰは、ダウンリンクサブフレームにおけるそれぞれの端末装置宛てのデータバースト領域の復号化位置および復号化方法を示す。ＵＬ−ＭＡＰは、それぞれの端末装置が基地局装置宛てにデータを伝送する際に使用するアップリンクサブフレームにおけるデータバースト領域の位置等を指定する。それぞれのデータバーストは、それぞれの端末装置宛てに伝送するデータ本体を格納する。
【０００５】
ここで、特許文献１に記載された無線通信の方法では、ＤＬ−ＭＡＰによってそれぞれの端末装置宛てに伝送するデータの位置を示すことにより、基地局装置から端末装置への方向にデータを伝送する際に複数の端末装置宛てのデータを多重することを実現している。これにより、ＯＦＤＭＡを用いた多元アクセスを実現している。ＤＬ−ＭＡＰは、ＤＬ−ＭＡＰメッセージと呼ばれるＭＡＣ（Media Access Control）マネジメントメッセージから構成される。ＤＬ−ＭＡＰには、それぞれのデータバーストに関するバースト割り当て情報が含まれる。バースト割り当て情報は、ＯＦＤＭＡフレームにおけるデータの位置を示す情報である。
【０００６】
しかしながら、特許文献１に記載された無線通信の方法では、次のような問題があった。すなわち、ＷｉＭＡＸにおけるＤＬ−ＭＡＰはＭＡＣフレームを用いて実現される。一方、データバーストの位置を把握するためには、ＭＡＣフレームを解析するより前におけるＯＦＤＭＡフレームのＯＦＤＭシンボルの位置を識別する必要がある。このため、この無線通信の方法を無線ＬＡＮ（Local Area Network）に適用する場合には、所望のデータ列を取り出す際に、ＰＨＹ（Physical）層の処理とＭＡＣ層の処理を行き来して行う必要があり、非効率的であった。具体的には、この無線通信の方法では、ＭＡＣフレームであるＤＬ−ＭＡＰを解析してデータバーストの位置情報を得て、これにより得られた位置情報に基づいてＰＨＹ層の解析位置を判定し、指定の手順によりデータを抜き出すことによって、ＭＡＣフレーム形式の所望のデータ列を取り出す。
【先行技術文献】
【特許文献】
【０００７】
【特許文献１】特開２０１３−２２５８５１号公報
【発明の概要】
【発明が解決しようとする課題】
【０００８】
上述のように、従来では、無線ＬＡＮとＯＦＤＭＡを組み合わせた通信を用いて、基地局装置から複数の端末装置に対してデータを伝送する場合に、通信効率に不十分な点があった。
【０００９】
本発明は、このような事情を考慮してなされたもので、無線ＬＡＮ等とＯＦＤＭＡを組み合わせた通信を用いて、基地局装置から複数の端末装置に対してデータを伝送する場合に、伝送効率の向上を実現することができる基地局装置、端末装置、通信システムおよび通信方法を提供することを課題とする。
【課題を解決するための手段】
【００１０】
上記の課題を解決するために、一態様に係る基地局装置は、宛先の情報および当該宛先に宛てられたデータを含むサブキャリアごとのデータ列が複数のサブキャリアについてＯＦＤＭにより多重化されたフレームを無線により送信する送信部を備える。
一態様として、基地局装置では、前記サブキャリアごとのデータ列は、前記データについて、変調方式、変調レートまたは符号化レートのうちの１以上の情報を含む、構成が用いられてもよい。
一態様として、基地局装置では、前記サブキャリアごとのデータ列は、前記データについて、変調方式、変調レートおよび符号化レートのすべての情報を含む、構成が用いられてもよい。
一態様として、基地局装置では、前記サブキャリアごとのデータ列は、前記フレーム全体のチャネル幅の情報を含む、構成が用いられてもよい。
一態様として、基地局装置では、前記サブキャリアごとのデータ列は、データ通信に必要な時間を予約するための時間の情報を含む、構成が用いられてもよい。
一態様として、基地局装置では、前記宛先の情報として、前記宛先の装置に設定される識別情報のうちの一部の情報が用いられる、構成が用いられてもよい。
一態様として、基地局装置では、前記送信部は、セルラー通信、無線ＬＡＮの方式、もしくはＷｉＭＡＸの内の二種類の通信を同時に行うことが可能である、構成が用いられてもよい。
【００１１】
上記の課題を解決するために、一態様に係る端末装置は、宛先の情報および当該宛先に宛てられたデータを含むサブキャリアごとのデータ列が複数のサブキャリアについてＯＦＤＭにより多重化されたフレームを受信する受信部と、前記受信部により受信された前記フレームを構成する前記サブキャリアごとに含まれる前記宛先の情報に基づいて、自装置の情報に対応する前記宛先の情報を含む前記サブキャリアを選択する制御部と、を備える。
一態様として、端末装置では、前記宛先の情報として、前記宛先の装置に設定される識別情報のうちの一部の情報が用いられ、前記制御部は、自装置に設定される識別情報のうちの一部に対応する前記宛先の情報を含む前記サブキャリアの前記データについて、当該データを復元した結果に基づいて当該データを選択するか否かを判定する、構成が用いられてもよい。
一態様として、端末装置では、前記受信部は、セルラー通信、無線ＬＡＮの方式、もしくはＷｉＭＡＸの内の二種類の通信を同時に行うことが可能である、構成が用いられてもよい。
【００１２】
上記の課題を解決するために、一態様に係る通信システムでは、基地局装置は、宛先の情報および当該宛先に宛てられたデータを含むサブキャリアごとのデータ列が複数のサブキャリアについてＯＦＤＭにより多重化されたフレームを無線により送信し、端末装置は、受信された前記フレームを構成する前記サブキャリアごとに含まれる前記宛先の情報に基づいて、自装置の情報に対応する前記宛先の情報を含む前記サブキャリアを選択する。
上記の課題を解決するために、一態様に係る通信方法では、基地局装置は、宛先の情報および当該宛先に宛てられたデータを含むサブキャリアごとのデータ列が複数のサブキャリアについてＯＦＤＭにより多重化されたフレームを無線により送信する。
【発明の効果】
【００１３】
本発明によれば、無線ＬＡＮ等とＯＦＤＭＡを組み合わせた通信を用いて、基地局装置から複数の端末装置に対してデータを伝送する場合に、伝送効率の向上を実現することができる。
【図面の簡単な説明】
【００１４】
【図１】本発明の一実施形態に係る通信システムの概略的な構成を示すブロック図である。
【図２】本発明の一実施形態に係るＭＣＳテーブルの一例を示す図である。
【図３】本発明の一実施形態に係るＯＦＤＭフレームの一例を示す図である。
【図４】本発明の一実施形態に係るＯＦＤＭフレームのＯＦＤＭＡ情報フィールド部およびデータ部の一例を示す図である。
【図５】本発明の一実施形態に係るＯＦＤＭフレームのＯＦＤＭＡ情報フィールド部およびデータ部の他の一例を示す図である。
【図６】本発明の一実施形態に係るデータ通信に要する時間の一例を示す図である。
【図７】比較例に係るデータ通信に要する時間の一例を示す図である。
【発明を実施するための形態】
【００１５】
以下、図面を参照し、本発明の実施形態について説明する。
図１は、本発明の一実施形態に係る通信システム１の概略的な構成を示すブロック図である。
通信システム１は、無線ＬＡＮとＯＦＤＭＡを組み合わせた通信を行う基地局装置１１および端末装置１２を備える。基地局装置１１は、無線ＬＡＮのアクセスポイント（ＡＰ：Access Point）となる装置（無線通信装置）である。端末装置１２は、基地局装置１１により管理されて、当該基地局装置１１と通信する装置（無線通信装置）である。通信システム１は、複数の端末装置１２を備える。また、通信システム１は、複数の基地局装置１１を備えてもよい。
【００１６】
本実施形態では、主に、基地局装置１１に備えられる無線ＬＡＮの送信機の機能、および、端末装置１２に備えられる無線ＬＡＮの受信機の機能を説明する。基地局装置１１および端末装置１２は、それぞれ、無線ＬＡＮの送信機の機能および受信機の機能の両方を備えてもよく、本実施形態では、両方を備える。
【００１７】
基地局装置１１は、制御部２１と、記憶部２２と、送信部２３を備える。送信部２３は、ＭＣＳ（Modulation and Coding Scheme）制御部３１と、直列並列変換部３２と、サブキャリア変調部３３と、逆高速フーリエ変換（ＩＦＦＴ：Inverse Fast Fourier Transform）部３４と、ガードインターバル（ＧＩ：Guard Interval）挿入部３５と、デジタル／アナログ（Ｄ／Ａ：Digital to Analog）変換部３６と、無線周波数（ＲＦ：Radio Frequency）部３７と、アンテナ３８を備える。
本実施形態では、送信部２３が送信機の機能を有する。また、制御部２１が、送信部２３を含めて基地局装置１１における各種の制御を行う。なお、本実施形態に係る基地局装置１１の構成は一例であり、他の構成が用いられてもよい。例えば、他の構成例として、ＭＣＳ制御部３１の機能が制御部２１に含まれてもよい。
【００１８】
端末装置１２は、制御部４１と、記憶部４２と、受信部４３を備える。受信部４３は、アンテナ５１と、ＲＦ部５２と、アナログ／デジタル（Ａ／Ｄ：Analog to Digital）変換部５３と、ＧＩ除去部５４と、高速フーリエ変換（ＦＦＴ：Fast Fourier Transform）部５５と、サブキャリア復調部５６と、並列直列変換部５７を備える。
本実施形態では、受信部４３が受信機の機能を有する。また、制御部４１が、受信部４３を含めて端末装置１２における各種の制御を行う。なお、本実施形態に係る端末装置１２の構成は一例であり、他の構成が用いられてもよい。
【００１９】
図２は、本発明の一実施形態に係るＭＣＳテーブル１０１の一例を示す図である。
ＭＣＳテーブル１０１は、変調方法および符号化方法を示すＭＣＳの情報を格納するテーブルの一例である。なお、復調方法は変調方法に対応して決定されることが可能であり、復号化方法は符号化方法に対応して決定されることが可能である。
本実施形態では、ＭＣＳテーブル１０１は、インデックス（本実施形態では、ＭＣＳインデックスと呼ぶ。）と、変調方式と、変調レート（ＭＯＤ）と、符号化レート（Ｒ）とを対応付けて格納する。
ＭＣＳインデックスとしては、０、１、２、・・・といった連続した番号が用いられている。
変調方式としては、ＢＰＳＫ（Binary Phase Shift Keying）、ＱＰＳＫ（Quadrature Phase Shift Keying）、１６ＱＡＭ（Quadrature Amplitude Modulation）、６４ＱＡＭ、２５６ＱＡＭなどの変調方式が用いられている。
変調レートとしては、１、２、４、６、８などの値が用いられている。
符号化レートとしては、１／２、３／４、２／３、５／６などの値が用いられている。
【００２０】
本実施形態では、ＭＣＳテーブル１０１に相当する情報が、基地局装置１１の記憶部２２および端末装置１２の記憶部４２のそれぞれに記憶されている。
ここで、説明の便宜上、基地局装置１１に記憶されるＭＣＳテーブル１０１をＭＣＳテーブル１０１−１と呼び、端末装置１２に記憶されるＭＣＳテーブル１０１をＭＣＳテーブル１０１−２と呼ぶ。ＭＣＳテーブル１０１−１の情報とＭＣＳテーブル１０１−２の情報とは、例えば、同じであってもよく、または、互いに対応していれば、完全に同じでなくてもよい。
【００２１】
図３は、本発明の一実施形態に係るＯＦＤＭフレーム２０１の一例を示す図である。
図３では、縦軸は周波数（周波数軸）を表しており、横軸は時間（時間軸）を表している。周波数方向は、複数のサブキャリアの並びの方向となる。時間方向は、複数のシンボル（ビット列）の並びの方向となる。
本実施形態に係るＯＦＤＭフレーム２０１は、ＩＥＥＥ８０２．１１ｎの方式に基づく一例である。
ＯＦＤＭフレーム２０１は、２０ＭＨｚの帯域を用いてフレームを送信する場合の例である。
また、ＯＦＤＭフレーム２０１は、６４ポイント（６４波）のＦＦＴを用いて変調されたフレームである。そして、ＯＦＤＭフレーム２０１は、６４波のうちの５４波のサブキャリアで構成される。６４波のうちの残りの１０波は、隣接チャネルとの干渉を避けるために使用されない。図３の例では、中心周波数を基準として−８．１２５ＭＨｚ〜＋８．１２５ＭＨｚの範囲で５４波のサブキャリアが用いられる。複数のサブキャリアは、３１２．５ｋＨｚの間隔で配置されるが、互いに直交しているため周波数軸上で互いに重なり合うほど密に配置されているにも関わらず互いに干渉せずに復号化することができる。
なお、ＯＦＤＭ方式を用いた無線通信の原理については、例えば公知の原理が用いられてもよく、詳細な説明を省略する。
【００２２】
ＯＦＤＭフレーム２０１は、先頭から順に、Ｌ−ＳＴＦ（Non HT - Short Training Field）部と、Ｌ−ＬＴＦ（Non HT - Long Training Field）部と、Ｌ−ＳＩＧ（Non HT - Signal Field）部と、ＯＦＤＭＡ情報フィールド部と、データ部を含む。なお、ＯＦＤＭフレーム２０１は、さらに他のフィールド部を含んでもよい。また、本実施形態では、Ｌ−ＳＴＦ部、Ｌ−ＬＴＦ部、Ｌ−ＳＩＧ部、ＯＦＤＭＡ情報フィールド部、データ部という名称を用いて説明するが、それぞれ、同様な情報を格納する部分が他の名称で呼ばれてもよい。
【００２３】
ここで、Ｌ−ＳＴＦ部、Ｌ−ＬＴＦ部およびＬ−ＳＩＧ部は、例えば、無線ＬＡＮの既存の方式では必要なフィールド部である。
Ｌ−ＳＴＦ部およびＬ−ＬＴＦ部は、無線ＬＡＮの信号の検出と、信号へのタイミングの同期を行うために設けられている。本実施形態では、Ｌ−ＳＴＦ部およびＬ−ＬＴＦ部には、無線ＬＡＮの既存の方式と同様な情報が含められる。
【００２４】
Ｌ−ＳＩＧ部には、無線ＬＡＮの既存の方式では、データ部を復号化するために必要な情報が含められる。例えば、無線ＬＡＮの既存の方式で規定されるＬ−ＳＩＧ部は、それぞれのサブキャリアのデータ部の変調レートとデータビット数（データ長）の情報を含むことによって、当該Ｌ−ＳＩＧ部が含まれる無線フレームの時間長を示すことができる。
これに対して、本実施形態では、Ｌ−ＳＩＧ部に、無線ＬＡＮの既存の方式とは異なる情報が含められてもよい。一例として、本実施形態では、Ｌ−ＳＩＧ部に、無線空間の利用を予約する時間（予約時間）を示す情報が含められてもよい。当該予約時間は、例えば、データ通信に必要な時間であり、ＯＦＤＭフレーム２０１の通信にかかる時間である。具体例として、当該予約時間として、基地局装置１１がＯＦＤＭフレーム２０１を送信してから、当該ＯＦＤＭフレーム２０１を受信した宛先の端末装置１２から送信される信号（確認応答信号）を受信することが完了するまでの時間が用いられる。この場合、基地局装置１１の通信相手ではない端末装置１２では、受信されたＯＦＤＭフレーム２０１のＬ−ＳＩＧ部に含まれる予約時間の情報に基づいて、当該予約時間に相当する時間では、無線区間を利用しない（無線信号を送信しない）ように制御する。
【００２５】
本実施形態では、無線ＬＡＮの既存の方式に対応する無線通信装置（本実施形態に係る新規な方式には対応しない無線通信装置）によってもフレームを検知することが可能な構成で、ＯＦＤＭフレーム２０１を構成している。つまり、本実施形態では、本実施形態に係る新規な方式に対応する無線通信装置（例えば、基地局装置１１および端末装置１２）であっても、あるいは、無線ＬＡＮの既存の方式に対応する無線通信装置（本実施形態に係る新規な方式には対応しない無線通信装置）であっても、基地局装置１１から送信されるＯＦＤＭフレーム２０１を検知することを可能としている。
これにより、無線ＬＡＮを用いた通信システム（本実施形態に係る通信システム１および既存の通信システム）において、それぞれの無線通信装置が周囲の他の無線通信装置が通信していないときにのみ電波を送出する制御を行うことで、互いに無線信号の衝突を防ぐという仕組みを維持することができる。
【００２６】
また、ＯＦＤＭＡ情報フィールド部は、無線ＬＡＮの既存の方式では設けられないフィールド部であり、本実施形態において追加されている。本実施形態では、ＯＦＤＭＡ情報フィールド部のビット列は、ＯＦＤＭフレーム２０１を形成するサブキャリアごとのヘッダ部（本実施形態では、ＰＨＹヘッダ部）に設けられる。
なお、本実施形態では、５４波のサブキャリアのうちで、所定の数（例えば、４個）のサブキャリアには、パイロットが割り当てられる。パイロットが割り当てられたサブキャリアは、データ通信には使用されず、ＯＦＤＭＡ情報フィールド部を設けることは不要である。５４波のサブキャリアのうちで、パイロットが割り当てられないサブキャリアが、データ通信に使用される。
【００２７】
図４は、本発明の一実施形態に係るＯＦＤＭフレーム２０１（図４の説明において、ＯＦＤＭフレーム２０１−１と呼ぶ。）のＯＦＤＭＡ情報フィールド部およびデータ部の一例を示す図である。
図４では、Ｌ−ＳＴＦ部、Ｌ−ＬＴＦ部およびＬ−ＳＩＧ部については、詳細を省略してある。
ＯＦＤＭＡ情報フィールド部は、それぞれのサブキャリアごとに、所定の情報を含む。当該所定の情報は、チャネルの帯域の幅（チャネル幅）の情報と、宛先の端末装置を識別する識別子（宛先ＩＤ）の情報と、ＭＣＳの情報である。なお、ＯＦＤＭＡ情報フィールド部は、さらに他の情報を含んでもよい。ここで、チャネル幅は、ＯＦＤＭフレーム２０１−１の全体のチャネル幅を表す。
本実施形態では、基地局装置１１から端末装置１２に対して、ＯＦＤＭＡ情報フィールド部の情報により、チャネル幅を通知し、宛先ＩＤの指定を通知し、ＭＣＳの指定を通知することができる。
【００２８】
なお、サブキャリアのＭＣＳは、当該サブキャリアの伝送速度に対応する。
また、他の構成例として、ＯＦＤＭＡ情報フィールド部は、ＭＣＳの情報として、変調方式、変調レート、または、符号化レートのうちの１個のみまたは２個のみの情報を含んでもよい。この場合、ＯＦＤＭＡ情報フィールド部に含まれない情報（変調方式、変調レート、または、符号化レートのうちの１個以上の情報）は、例えば、固定されていてもよく、または、他の手法で通知されてもよい。
【００２９】
図４の例では、ＯＦＤＭフレーム２０１−１のチャネル幅は２０ＭＨｚであり、５４波のサブキャリアが使用される。５４波のサブキャリアのうち所定の数のサブキャリアは、信号トラッキングを行うためのパイロット信号を通信するために使用される。
なお、ＩＥＥＥ８０２．１１標準の規定では、それぞれのチャネル幅ごとに、ＯＦＤＭフレーム（ここでは、ＯＦＤＭフレーム２０１−１）を構成するサブキャリアの数が定められている。このような構成が用いられる場合、例えば、基地局装置１１および端末装置１２は、それぞれの記憶部２２、４２にチャネル幅とサブキャリアの数との対応を示す情報を記憶して、参照してもよい。
【００３０】
ここで、チャネル幅の情報としては、例えば、チャネル幅の値を示す情報が用いられてもよく、または、チャネル幅の値に対応する識別コードなどの情報が用いられてもよい。
識別コードとしては、具体例として、２０ＭＨｚに対応する識別コードを０とし、４０ＭＨｚに対応する識別コードを１とし、８０ＭＨｚに対応する識別コードを２とし、１６０ＭＨｚに対応する識別コードを３とする。この場合、チャネル幅の値と識別コードとの対応を示す情報が、例えば、あらかじめ、基地局装置１１および端末装置１２のそれぞれの記憶部２２、４２に設定されて記憶される。
【００３１】
図４の例では、すべてのサブキャリアについて、ＯＦＤＭフレーム２０１−１のチャネル幅の情報として２０ＭＨｚが、ＯＦＤＭＡ情報フィールド部に格納される。
また、図４の例では、それぞれのサブキャリアごとに、宛先ＩＤの情報として、宛先となる端末装置１２を識別する情報（図４の例では、０１、０２、０３などの情報）が、ＯＦＤＭＡ情報フィールド部に格納される。
また、図４の例では、それぞれのサブキャリアごとに、ＭＣＳの情報として、図２に示されるＭＣＳインデックスの情報が、ＯＦＤＭＡ情報フィールド部に格納される。
基地局装置１１では、これらの情報をＯＦＤＭＡ情報フィールド部に格納したＯＦＤＭフレーム２０１−１を生成して送信する。
【００３２】
端末装置１２では、ＯＦＤＭフレーム２０１−１を受信し、すべてのサブキャリアについて、サブキャリアごとに、受信されたＯＦＤＭフレーム２０１−１のＯＦＤＭＡ情報フィールド部を解析する。そして、端末装置１２では、当該ＯＦＤＭＡ情報フィールド部に格納された宛先ＩＤの情報を検出する。端末装置１２では、１個のＯＦＤＭフレーム２０１−１の中にサブキャリアごとの宛先ＩＤとして複数の異なる宛先ＩＤの情報が含まれる場合には、それに基づいて、ＯＦＤＭＡによるデータ通信の多重化がなされていると判定する。端末装置１２では、それぞれのサブキャリアごとに、検出された宛先ＩＤの情報を識別して、自装置（当該端末装置１２）の宛先ＩＤの情報に対応する宛先ＩＤの情報が格納されたサブキャリアを特定する。特定されるサブキャリアの数は、基地局装置１１からのデータを伝送するために端末装置１２に宛てられたサブキャリアの数であり、例えば、１個、または、２個以上である。なお、基地局装置１１から自装置宛てのデータの伝送が無い場合には、特定されるサブキャリアの数は０個である。
【００３３】
ここで、１個のＯＦＤＭフレーム２０１−１に含まれる複数のサブキャリアを使用して基地局装置１１から同一の端末装置１２にデータを通信する場合について、データを格納（配置）する順序が定められている。この順序にしたがって、基地局装置１１はデータをデータ部に格納する。この順序にしたがって、端末装置１２は当該データを当該データ部から取得して結合することでデータ列を取得する。この順序の情報は、例えば、あらかじめ、基地局装置１１および端末装置１２のそれぞれの記憶部２２、４２に設定されて記憶されている。このように、端末装置１２は、ＯＦＤＭフレーム２０１−１からデータを抽出する位置を把握することができる。
【００３４】
図４の例では、１個のＯＦＤＭフレーム２０１−１に含まれる複数のサブキャリアのデータ部に同一の端末装置１２に宛てたデータを格納する場合に、連続して並んで配置された複数のサブキャリアにデータを格納している。図４には、それぞれの宛先の端末装置１２に割り当てられたデータブロック（それぞれの宛先向けのデータブロック）、およびデータ列の読み出し方向（データの順序）の一例を示してある。それぞれの端末装置１２は、決められた方向に自装置（当該端末装置１２）宛てのデータを読み出していくことで、自装置宛てのデータを結合してデータ列を取得することができる。
【００３５】
ここで、本実施形態では、それぞれのサブキャリアごとに、ＯＦＤＭＡ情報フィールド部を変調するために使用されるＭＣＳ（変調方式、変調レート、符号化レート）に対して、異なるＭＣＳを使用してデータ部を変調することが可能である。
また、本実施形態では、サブキャリアごとに任意のＭＣＳを設定して使用することが可能である。但し、本実施形態では、同一の宛先が指定される２個以上のサブキャリアについては、同一のＭＣＳが設定される。
【００３６】
図５は、本発明の一実施形態に係るＯＦＤＭフレーム２０１（図５の説明において、ＯＦＤＭフレーム２０１−２と呼ぶ。）のＯＦＤＭＡ情報フィールド部およびデータ部の他の一例を示す図である。
図５の例に係るＯＦＤＭフレーム２０１−２の各フィールド部およびデータ部の構成は、図４の例に係るＯＦＤＭフレーム２０１−１の場合と同様である。
図５の例では、１個のＯＦＤＭフレーム２０１−２に含まれる複数のサブキャリアのデータ部に同一の端末装置１２に宛てたデータを格納する場合に、離散して配置された複数のサブキャリアにデータを格納している。図５には、１個の端末装置１２（宛先ＩＤの情報が０１である端末装置１２）を例として、宛先の端末装置１２に割り当てられたデータブロック（宛先向けのデータブロック）、およびデータ列の読み出し方向（データの順序）を示してある。
【００３７】
次に、図１を参照して、通信システム１において行われる処理の例を示す。
なお、ＯＦＤＭフレーム２０１を構成する複数のサブキャリアのうちの一部にはパイロットが割り当てられてデータ通信に使用されないが、ここでは、説明を簡略化するために、パイロットについては詳細な説明を省略する。
【００３８】
基地局装置１１において行われる処理の例を示す。基地局装置１１は、無線ＬＡＮの送信機の機能により、ＯＦＤＭＡの方式により無線通信を行う。具体的に説明する。
ＭＣＳ制御部３１は、宛先の端末装置１２ごとに、定められたＭＣＳが使用されるように直列並列変換部３２およびサブキャリア変調部３３に当該ＭＣＳを指定する。なお、ＭＣＳは、宛先の端末装置１２に対して、固定的に定められてもよく、または、ＭＣＳ制御部３１などにより可変に定められてもよい。
【００３９】
送信対象のデータ（送信データ）が直列並列変換部３２に入力される。直列並列変換部３２は、当該送信データを受け取る。当該送信データには、基地局装置１１に収容された１個以上の端末装置１２について、それぞれの端末装置１２宛てのデータパケットが含まれる。直列並列変換部３２は、内部に複数のバッファメモリを有しており、これにより複数の端末装置１２宛てのデータパケットを保持する。
【００４０】
ここで、ｉ（ｉは１以上の整数）番目のバッファメモリには、ｉ番目の宛先の端末装置１２に宛てられたデータパケットが保持されるとする。
説明の便宜上、ｉ番目のバッファメモリに保持されたデータパケットを、ｉ番目のデータパケットと呼ぶ。また、ｉ番目の宛先の端末装置１２に定められたＭＣＳをＭＣＳ［ｉ］と呼ぶ。また、他の値についても、ｉ番目の宛先の端末装置１２に関する値に［ｉ］を付して説明する。
制御部２１は、直列並列変換部３２に保持されたｉ番目のデータパケットについて、当該データパケットの長さＬ［ｉ］（ビット）および指定されて使用するＭＣＳ［ｉ］に基づいて、当該データパケットを通信するために必要なＯＦＤＭシンボルの数Ｎｓ［ｉ］を式（１）により算出する。
【００４１】
［数１］
Ｎｓ［ｉ］＝ｒｏｕｎｄｕｐ（Ｌ［ｉ］×Ｒ／ＭＯＤ）    ・・（１）
【００４２】
式（１）において、ＭＯＤは変調レートを表し、Ｒは符号化レートを表し、ｒｏｕｎｄｕｐ（ｘ）はｘを整数値に切り上げる演算を表す。
制御部２１は、例えば、算出されたＯＦＤＭシンボルの数Ｎｓ［ｉ］と、利用可能なサブキャリアの総数ＳＣｔｏｔａｌに基づいて、ｉ番目の宛先の端末装置１２に宛てられたデータ列を伝送するために使用するサブキャリアの数ＳＣ［ｉ］を算出して決定する。ここで、当該サブキャリアの数ＳＣ［ｉ］を決定する手法としては、様々な手法が用いられてもよい。
【００４３】
直列並列変換部３２は、それぞれの宛先の端末装置１２について、宛てられたデータパケットのデータ列を、制御部２１により決定されたサブキャリアの数ＳＣ［ｉ］に並列化する。そして、直列並列変換部３２は、並列化されたデータ列をサブキャリア変調部３３に出力する。これに際して、制御部２１は、直列並列変換部３２において、それぞれのサブキャリアごとに、出力するデータ列の先頭にＬ−ＳＩＧ部のビット列およびＯＦＤＭＡ情報フィールド部のビット列を付加する。
【００４４】
サブキャリア変調部３３は、直列並列変換部３２から出力されたデータ列を受け取る。サブキャリア変調部３３は、それぞれのサブキャリアごとに、受け取ったデータ列のデータについて、指定されたＭＣＳ（変調方式、変調レートおよび符号化レート）を使用して、変調の処理（本実施形態では、符号化の処理を含む。）を行う。サブキャリア変調部３３は、当該変調の処理により得られたデータ列をＩＦＦＴ部３４に出力する。
【００４５】
ＩＦＦＴ部３４は、サブキャリア変調部３３から出力されたデータ列を受け取る。当該データ列は、サブキャリア変調部３３により生成された周波数軸のデータ列である。ＩＦＦＴ部３４は、複数のサブキャリアについて、受け取った周波数軸のデータ列についてＩＦＦＴの処理を行うことで、当該周波数軸のデータ列を時間軸のデータ列へ変換する。ＩＦＦＴ部３４は、変換された時間軸のデータ列をＧＩ挿入部３５に出力する。
【００４６】
ＧＩ挿入部３５は、ＩＦＦＴ部３４から出力されたデータ列を受け取る。ＧＩ挿入部３５は、受け取ったデータ列にガードインターバルを挿入する。ガードインターバルは、ＯＦＤＭにおけるシンボル間干渉を防止するためのインターバルである。ＧＩ挿入部３５は、ガードインターバルが挿入されたデータ列をＤ／Ａ変換部３６に出力する。
【００４７】
Ｄ／Ａ変換部３６は、ＧＩ挿入部３５から出力されたデータ列を受け取る。このデータ列は、デジタルのデータ列である。Ｄ／Ａ変換部３６は、受け取ったデータ列（デジタル信号）をアナログ信号へ変換して、Ｌ−ＳＴＦ部およびＬ−ＬＴＦ部に相当するアナログ信号を先頭に付加する。Ｄ／Ａ変換部３６は、これにより得られたアナログ信号をＲＦ部３７に出力する。
【００４８】
ＲＦ部３７は、Ｄ／Ａ変換部３６から出力されたアナログ信号を受け取る。ＲＦ部３７は、受け取ったアナログ信号の周波数帯域を、送信に使用する周波数帯域へ変換すること（アップコンバート）を行って、変換後のアナログ信号をアンテナ３８に出力する。
当該アナログ信号は、アンテナ３８から、ＯＦＤＭ波として送出（無線送信）される。
なお、本実施形態では、ＩＦＦＴ部３４、ＧＩ挿入部３５、Ｄ／Ａ変換部３６、ＲＦ部３７およびアンテナ３８の機能としては、例えば、一般に用いられている既存の機能と同じ機能が用いられてもよい。
【００４９】
端末装置１２において行われる処理の例を示す。端末装置１２は、無線ＬＡＮの受信機の機能により、ＯＦＤＭＡの方式により無線通信を行う。具体的に説明する。
アンテナ５１は、無線信号を受信する。本実施形態では、アンテナ５１は、基地局装置１１から送信されたＯＦＤＭ波を受信する。
ＲＦ部５２は、アンテナ５１により受信されたＯＦＤＭ波を受け取る。ＲＦ部５２は、受け取ったＯＦＤＭ波（アナログ信号）の周波数帯域を、ベースバンド帯の周波数帯域へ変換すること（ダウンコンバート）を行って、変換後のアナログ信号をＡ／Ｄ変換部５３に出力する。
【００５０】
Ａ／Ｄ変換部５３は、ＲＦ部５２から出力されたアナログ信号を受け取る。Ａ／Ｄ変換部５３は、受け取ったアナログ信号に含まれるＬ−ＳＴＦ部およびＬ−ＬＴＦ部の信号を検出して、当該信号に基づいて当該アナログ信号についてタイミング同期を取る。そして、Ａ／Ｄ変換部５３は、当該タイミング同期を取って、当該アナログ信号をデジタル信号（データ列）へ変換する。Ａ／Ｄ変換部５３は、これにより得られたデータ列をＧＩ除去部５４に出力する。
ＧＩ除去部５４は、Ａ／Ｄ変換部５３から出力されたデータ列を受け取る。ＧＩ除去部５４は、受け取ったデータ列からガードインターバルを除去する。ＧＩ除去部５４は、ガードインターバルが除去されたデータ列をＦＦＴ部５５に出力する。
【００５１】
ＦＦＴ部５５は、ＧＩ除去部５４から出力されたデータ列を受け取る。このデータ列は、時間軸のデータである。ＦＦＴ部５５は、受け取った時間軸のデータ列についてＦＦＴの処理を行うことで、当該時間軸のデータ列を周波数軸のデータ列へ変換する。ＦＦＴ部５５は、変換された周波数軸のデータ列をサブキャリア復調部５６に出力する。当該データ列は、Ｌ−ＳＩＧ部以降のデータ列となる。
【００５２】
サブキャリア復調部５６は、ＦＦＴ部５５から出力されたデータ列を受け取る。本実施形態では、当該データ列は、周波数軸上に並べられた並列のビット列である。ここで、それぞれのサブキャリアごとに、データ列の先頭にはＬ−ＳＩＧ部とＯＦＤＭＡ情報フィールド部が存在する。
ここで、制御部４１は、１個以上のサブキャリアのデータ列からＯＦＤＭＡフィールド部に含まれるチャネル幅の情報を読み出す。制御部４１は、読み出したチャネル幅の情報に対応するチャネル幅に含まれるすべてのサブキャリアについて、データ列からＯＦＤＭＡフィールド部に含まれる宛先ＩＤの情報を読み出して識別する。制御部４１は、すべてのサブキャリアについて宛先ＩＤの情報を識別した結果に基づいて、自装置（端末装置１２）の宛先ＩＤの情報に対応（例えば、一致）する宛先ＩＤの情報が含まれたサブキャリア（つまり、自装置宛てのサブキャリア）を選択する。
また、制御部４１は、選択されたサブキャリアについて、ＯＦＤＭＡ情報フィールド部に含まれるＭＣＳの情報を読み出して、ＭＣＳを特定する。
サブキャリア復調部５６は、制御部４１により選択されたサブキャリア（例えば、自装置宛てのサブキャリアが存在する場合には、１個以上のサブキャリア）のデータ部に含まれるデータをあらかじめ定められた順序で読み出して（抽出して）、データ列を取得する。
サブキャリア復調部５６は、制御部４１により特定されたＭＣＳ（変調方式、変調レートおよび符号化レート）を使用して、取得された自装置宛てのデータ列の復調の処理（本実施形態では、復号化の処理を含む。）を行う。サブキャリア復調部５６は、当該復調の処理により得られたデータ列を並列直列変換部５７に出力する。
【００５３】
並列直列変換部５７は、サブキャリア復調部５６から出力されたデータ列を直列化する。これにより、元のデータ（基地局装置１１からの送信対象となったパケットデータ）が復元される。当該データが受信データとして得られる。
【００５４】
ここで、ＯＦＤＭＡ情報フィールド部の宛先ＩＤの情報としては、例えば、４８ビットのＭＡＣアドレスの情報が用いられてもよく、または、基地局装置１１と端末装置１２とが接続する際に当該基地局装置１１によって当該端末装置１２に対して割り当てられる１１ビットのＡＩＤ（Ａｓｓｏｃｉａｔｉｏｎ  ＩＤ）の情報が用いられてもよい。基地局装置１１は、自装置（当該基地局装置１１）が管理して接続するそれぞれの端末装置１２の宛先ＩＤの情報を記憶部２２に記憶する。それぞれの端末装置１２は、自装置（当該端末装置１２）の宛先ＩＤの情報を記憶部４２に記憶する。
【００５５】
他の構成例として、端末装置１２の宛先ＩＤのうちの一部のビットの情報（短縮宛先ＩＤの情報）を、ＯＦＤＭＡ情報フィールド部の宛先ＩＤの情報として使用することにより、ＯＦＤＭＡ情報フィールド部のビット数を短くすることが可能である。当該一部のビットとしては、例えば、本来の宛先ＩＤ（短縮していない宛先ＩＤ）の下位の所定数のビットが用いられてもよい。基地局装置１１およびそれぞれの端末装置１２は、例えば、本来の宛先ＩＤの情報を記憶して、当該情報に基づいて短縮宛先ＩＤの情報を取得（例えば、算出）してもよく、または、短縮宛先ＩＤの情報をそれぞれの記憶部２２、４２に記憶してもよい。
【００５６】
一例として、端末装置１２のＡＩＤのうちの一部のビットの情報（短縮ＡＩＤの情報）を、ＯＦＤＭＡ情報フィールド部の宛先ＩＤの情報として使用する場合について説明する。
この場合、複数の端末装置１２の間で短縮ＡＩＤが同一になって競合することが考えられる。このような競合を許容するシステムとすることも可能ではあるが、このような競合を低減ないし防止する構成が用いられてもよい。
【００５７】
一構成例として、基地局装置１１では、制御部２１は、送信する同一のＯＦＤＭフレーム２０１に、同一の短縮ＡＩＤとなる宛先ＩＤを有するが異なる２個以上の端末装置１２を宛先とするデータを重畳しないように、制御する。
【００５８】
他の構成例として、異なる２個以上の端末装置１２について、互いの短縮ＡＩＤは同一となって競合するが、それぞれで使用されるＭＣＳが異なる場合には、短縮ＡＩＤとＭＣＳとの組み合わせにより、それぞれの端末装置１２を識別することが可能である。この場合、基地局装置１１では、制御部２１は、送信する同一のＯＦＤＭフレーム２０１に、同一の短縮ＡＩＤとなる宛先ＩＤを有するが異なる２個以上の端末装置１２を宛先とするデータを重畳してもよい。
この場合、複数の異なる端末装置１２において、ＯＦＤＭＡ情報フィールド部に含まれる同一の短縮ＡＩＤの情報を自装置宛ての宛先ＩＤの情報であると識別する可能性があるが、それぞれの端末装置１２のＭＣＳが異なることから、それぞれの端末装置１２では、制御部４１は、短縮ＡＩＤとＭＣＳとの組み合わせにより、他の端末装置１２に宛てられたデータがＯＦＤＭフレーム２０１に存在することを識別することが可能である。
【００５９】
また、それぞれの端末装置１２では、制御部４１は、復号化されたデータ列からＭＡＣフレームを取得（復元）して、当該ＭＡＣフレームに記述された宛先のＭＡＣアドレスと自装置のＭＡＣアドレスとを照合することで、これらのＭＡＣアドレスが一致する自装置宛てのデータを選択して取得することができる。一方、それぞれの端末装置１２では、制御部４１は、これらのＭＡＣアドレスが一致しない他の装置宛てのデータを破棄することができる。このように、制御部４１は、受信されたデータ列を復元した結果（ここでは、ＭＡＣアドレス）に基づいて、それぞれのサブキャリアのデータを選択するか否かを判定する処理を行ってもよい。なお、同様な処理が、ＭＡＣアドレス以外のアドレスの情報を用いて行われてもよい。
【００６０】
なお、基地局装置１１では、制御部２１は、ＯＦＤＭフレーム２０１のＬ−ＳＩＧ部に予約時間の情報を含めてもよい。この場合、端末装置１２では、制御部４１は、受信されたＯＦＤＭフレーム２０１のＬ−ＳＩＧ部に含まれる予約時間の情報を読み出して取得し、当該予約時間において無線通信を行わないように制御する。また、他の基地局装置１１が存在する場合には、当該他の基地局装置１１では、制御部２１は、受信されたＯＦＤＭフレーム２０１のＬ−ＳＩＧ部に含まれる予約時間の情報を読み出して取得し、当該予約時間において無線通信を行わないように制御する。
【００６１】
図６および図７を参照して、本実施形態に係るデータ通信の効果の例を示す。
図６は、本発明の一実施形態に係るデータ通信に要する時間の一例を示す図である。
図７は、比較例に係るデータ通信に要する時間の一例を示す図である。
【００６２】
まず、図７を参照して、比較例に係るデータ通信について説明する。ここでは、一例として、基地局装置が１０個の端末装置のそれぞれに対して１００バイトのサイズのデータパケットを伝送するデータ通信を、比較例に係るデータ通信とする。図７およびその説明では、説明の便宜上、１０個の端末装置を端末１〜端末１０と呼ぶ。
【００６３】
図７には、横軸を時間として、データ通信のイメージを示してある。
基地局装置は、端末１〜端末１０の順に、それぞれの端末１〜１０に宛てて、データパケットを含むフレームを送信する。各フレームは、所定のフィールド部Ｂ１１−１〜Ｂ１１−１０およびデータ部Ｂ１２−１〜Ｂ１２−１０を含む。所定のフィールド部Ｂ１１−１〜Ｂ１１−１０は、Ｌ−ＳＴＦ部、Ｌ−ＬＴＦ部およびＬ−ＳＩＧ部を含む。
ここで、従来技術と同様な無線ＬＡＮを想定する。この場合、所定のフィールド部Ｂ１１−１〜Ｂ１１−１０の通信（送信）に２０μｓの時間を要する。続いて、１００バイトのデータを１０Ｍｂｐｓで変調して送信する場合を想定すると、データ部Ｂ１２−１〜Ｂ１２−１０の通信（送信）に８０（＝１００×８／１０）μｓの時間を要する。これらを合わせると、１個のフレームの通信（送信）に計１００μｓの時間を要する。
また、ＩＥＥＥ８０２．１１の標準規格では、フレーム間隔（ＤＩＦＳ：Distributed control function Inter-Frame Space）は少なくとも３４μｓであることから、ここでは、３４μｓの時間であるとする。
すると、基地局装置が１０個の端末１〜１０に対してそれぞれ１００バイトのデータを別々のフレームで伝送することを完了するためには、総じて、１３０６（＝１００×１０＋３４×９）μｓの時間を要する。
なお、ここでは、説明を簡略化するために、通常の無線ＬＡＮの通信手順において必要となるフレーム間のランダムな待ち時間、あるいは、端末装置から送信される受信確認応答であるＡＣＫフレームの伝送に要する時間は、考慮していない。
【００６４】
次に、図６を参照して、本実施形態に係るデータ通信について説明する。ここでは、一例として、基地局装置１１が１０個の端末装置１２のそれぞれに対して１００バイトのサイズのデータパケットを伝送するデータ通信を、１個のフレームで同時に行う。図６およびその説明では、説明の便宜上、１０個の端末装置１２を端末１〜端末１０と呼ぶ。
【００６５】
図６には、横軸を時間として、データ通信のイメージを示してある。
ここでは、説明を簡略化するために、使用することが可能なサブキャリアの数が全体で５０であるとし、それぞれの端末１〜１０宛てに使用するサブキャリアの数が均等に５であるとする。
基地局装置１１は、１０個の端末１〜１０のそれぞれに宛てたデータパケットを含む１個のフレーム（本実施形態では、ＯＦＤＭフレーム２０１）を送信する。当該フレームは、所定のフィールド部Ａ１、ＯＦＤＭＡ情報フィールド部Ａ２、および１０個の端末１〜１０に宛てたデータ部Ａ１１−１〜Ａ１１−１０を多重化したデータ部Ａ１１を含む。所定のフィールド部Ａ１は、Ｌ−ＳＴＦ部、Ｌ−ＬＴＦ部およびＬ−ＳＩＧ部を含む。
【００６６】
図７の比較例と同様に、所定のフィールド部Ａ１の通信（送信）に２０μｓの時間を要するとする。
また、ＯＦＤＭＡ情報フィールド部Ａ２の通信（送信）に８μｓの時間を要すると想定する。なお、図３の例では当該時間は４μｓであるが、ここでは比較のために少し長めに想定している。
基地局装置１１が１０個の端末１〜１０に対してＯＦＤＭＡでデータを多重して同時に伝送する場合、１個の端末当たりの伝送速度が１／１０となり、ここでは、比較例に対して１／１０である１Ｍｂｐｓとなるとする。すると、１００バイトのデータを１Ｍｂｐｓで変調して送信することになり、データ部Ａ１１の通信（送信）に８００（＝１００×８／１）μｓの時間を要する。
すると、基地局装置が１０個の端末装置１２に対してそれぞれ１００バイトのデータを１個のフレームで伝送することを完了するためには、総じて、８２８（＝２０＋８＋８００）μｓの時間を要する。
なお、ここでは、説明を簡略化するために、端末装置１２から送信される受信確認応答であるＡＣＫフレームの伝送に要する時間は、考慮していない。
図６および図７について説明したように、本実施形態では、比較例と比べて、伝送効率を高くすることが可能である。
【００６７】
以上のように、本実施形態に係る通信システム１では、無線ＬＡＮの方式により基地局装置１１と端末装置１２とが無線通信を行うに際して、基地局装置１１は、１個のＯＦＤＭフレーム２０１に複数の端末装置１２に対するデータを多重化して送信することができる。また、端末装置１２は、受信された１個のＯＦＤＭフレーム２０１の中に多重化された複数の端末装置１２宛てのデータのうちから、自装置宛てのデータを抽出して復元することができる。
このように、本実施形態では、無線ＬＡＮとＯＦＤＭＡを組み合わせた通信を用いて、基地局装置１１から複数の端末装置１２に対してデータを伝送する場合に、伝送効率の向上を実現することができる。
【００６８】
ここで、本実施形態では、無線ＬＡＮとＯＦＤＭＡを組み合わせた通信を用いて、基地局装置１１から複数の端末装置１２に対してデータを伝送する場合を例として示したが、他の構成例として、同様な構成がセルラー通信またはＷｉＭＡＸの方式に適用されてもよい。具体的には、例えば、セルラー通信（一例として、ＬＴＥの通信）において、ＯＦＤＭＡを用いて、基地局装置から複数の端末装置に対してデータを伝送する通信システムにおける当該基地局装置および当該端末装置に本実施形態と同様な構成が適用されてもよい。また、例えば、ＷｉＭＡＸにおいて、ＯＦＤＭＡを用いて、基地局装置から複数の端末装置に対してデータを伝送する通信システムにおける当該基地局装置および当該端末装置に本実施形態と同様な構成が適用されてもよい。
また、基地局装置および端末装置の一方または両方において、セルラー通信、無線ＬＡＮの方式、もしくはＷｉＭＡＸの内の二種類の通信を同時に行うことが可能な機能（例えば、送信機の機能あるいは受信機の機能）を有してもよい。二種類の通信を同時に行うことが可能な構成としては、例えば、二種類のそれぞれの通信の機能の両方を有する構成が用いられてもよい。これら構成による直列並列変換部、ＲＦ部等が共用化可能になり効率的に通信機器を構成することができる。
【００６９】
一構成例として、基地局装置１１は、宛先（本実施形態では、宛先ＩＤ）の情報および当該宛先に宛てられたデータ（本実施形態では、データ部のデータ）を含むサブキャリアごとのデータ列が複数のサブキャリアについてＯＦＤＭにより多重化されたフレーム（本実施形態では、ＯＦＤＭフレーム２０１）を無線により送信する送信部２３を備える。
一構成例として、基地局装置１１では、サブキャリアごとのデータ列は、データについて、変調方式、変調レートまたは符号化レートのうちの１以上の情報（本実施形態では、ＭＣＳの情報）を含む。
一構成例として、基地局装置１１では、サブキャリアごとのデータ列は、データについて、変調方式、変調レートおよび符号化レートのすべての情報（本実施形態では、ＭＣＳの情報）を含む。
一構成例として、基地局装置１１では、サブキャリアごとのデータ列は、フレーム全体のチャネル幅の情報を含む。
一構成例として、基地局装置１１では、サブキャリアごとのデータ列は、データ通信に必要な時間を予約するための時間の情報を含む。
一構成例として、基地局装置１１では、宛先（本実施形態では、宛先ＩＤ）の情報として、宛先の装置（本実施形態では、端末装置１２）に設定される識別情報（本実施形態では、宛先を識別する情報）のうちの一部の情報（本実施形態では、短縮宛先ＩＤの情報）が用いられる。
一構成例として、基地局装置１１では、送信部２３は、セルラー通信、無線ＬＡＮの方式、もしくはＷｉＭＡＸの内の二種類（これら３つの方式の内の任意の二種類）の通信を同時に行うことが可能である。
【００７０】
一構成例として、端末装置１２は、宛先の情報および当該宛先に宛てられたデータを含むサブキャリアごとのデータ列が複数のサブキャリアについてＯＦＤＭにより多重化されたフレームを受信する受信部４３と、受信部４３により受信されたフレームを構成するサブキャリアごとに含まれる宛先の情報に基づいて、自装置（当該端末装置１２）の情報に対応する宛先の情報を含むサブキャリアを選択する制御部４１と、を備える。
一構成例として、端末装置１２では、宛先（本実施形態では、宛先ＩＤ）の情報として、宛先の装置（本実施形態では、端末装置１２）に設定される識別情報のうちの一部の情報が用いられ、制御部４１は、自装置（当該端末装置１２）に設定される識別情報のうちの一部に対応する宛先の情報を含むサブキャリアのデータについて、当該データを復元した結果に基づいて当該データを選択するか否かを判定する。
一構成例として、端末装置１２では、受信部４３は、セルラー通信、無線ＬＡＮの方式、もしくはＷｉＭＡＸの内の二種類（これら３つの方式の内の任意の二種類）の通信を同時に行うことが可能である。
【００７１】
一構成例として、通信システム１では、基地局装置１１は、宛先の情報および当該宛先に宛てられたデータを含むサブキャリアごとのデータ列が複数のサブキャリアについてＯＦＤＭにより多重化されたフレームを無線により送信し、端末装置１２は、受信されたフレームを構成するサブキャリアごとに含まれる宛先の情報に基づいて、自装置（当該端末装置１２）の情報に対応する宛先の情報を含むサブキャリアを選択する。
一構成例として、通信方法では、基地局装置１１は、宛先の情報および当該宛先に宛てられたデータを含むサブキャリアごとのデータ列が複数のサブキャリアについてＯＦＤＭにより多重化されたフレームを無線により送信する。
【００７２】
以上、本発明の実施形態について図面を参照して詳述したが、具体的な構成はこの実施形態に限られるものではなく、本発明の要旨を逸脱しない範囲の設計変更等も含まれる。
【００７３】
また、以上に示した実施形態に係る各装置（例えば、基地局装置１１あるいは端末装置１２）の機能を実現するためのプログラムをコンピュータ読み取り可能な記録媒体（記憶媒体）に記録（記憶）して、この記録媒体に記録されたプログラムをコンピュータシステムに読み込ませ、実行することにより、処理を行ってもよい。
なお、ここでいう「コンピュータシステム」とは、オペレーティングシステム（ＯＳ：Operating System）や周辺機器等のハードウェアを含むものであってもよい。
また、「コンピュータ読み取り可能な記録媒体」とは、フレキシブルディスク、光磁気ディスク、ＲＯＭ（Read Only Memory）、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
さらに、「コンピュータ読み取り可能な記録媒体」とは、インターネット等のネットワークや電話回線等の通信回線を介してプログラムが送信された場合のサーバあるいはクライアントとなるコンピュータシステム内部の揮発性メモリ（例えばＤＲＡＭ（Dynamic Random Access Memory））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピュータシステムに既に記録されているプログラムとの組み合わせで実現できるもの、いわゆる差分ファイル（差分プログラム）であってもよい。
【符号の説明】
【００７４】
１…通信システム、１１…基地局装置、１２…端末装置、２１、４１…制御部、２２、４２…記憶部、２３…送信部、３１…ＭＣＳ制御部、３２…直列並列変換部、３３…サブキャリア変調部、３４…ＩＦＦＴ部、３５…ＧＩ挿入部、３６…Ｄ／Ａ変換部、３７、５２…ＲＦ部、３８、５１…アンテナ、４３…受信部、５３…Ａ／Ｄ変換部、５４…ＧＩ除去部、５５…ＦＦＴ部、５６…サブキャリア復調部、５７…並列直列変換部、１０１、１０１−１、１０１−２…ＭＣＳテーブル、２０１、２０１−１、２０１−２…ＯＦＤＭフレーム、Ａ１、Ｂ１１−１〜Ｂ１１−１０…フィールド部、Ａ２…ＯＦＤＭＡ情報フィールド部、Ａ１１、Ａ１１−１〜Ａ１１−１０、Ｂ１２−１〜Ｂ１２−１０…データ部
【図１】
0006382134.tif 000002
【図２】
0006382134.tif 000003
【図３】
0006382134.tif 000004
【図４】
0006382134.tif 000005
【図５】
0006382134.tif 000006
【図６】
0006382134.tif 000007
【図７】
0006382134.tif 000008